(57)【要約】【課題】たとえピアノ線等が遊技領域に挿入された場合であっても、蓋体を不正に開放されるような事態を阻止し得ると共に、そのような構造を簡略で廉価に実現できるように構成した弾球遊技機を提供する。【解決手段】たとえ不正行為者によってピアノ線等が遊技領域に挿入されてアタッカー５の蓋体５ａがピアノ線等で開放方向に牽引されたとしても、係合凹部５５ｄがＬ字状リンク５６の突起部５７を係止することにより蓋体５ａの開放方向への動作を規制する。これにより、蓋体５ａが不正に開放される不都合を有効に阻止することができると共に、運動変換機構の一部を係止するだけの簡単で廉価な構成で不正対策を効果的に講じることができる。【選択図】図３
2009291371.tif 000002
【特許請求の範囲】
【請求項１】
所定の契機で蓋体を開閉させる入賞部を備えた遊技領域に遊技球を打ち出して遊技してなる弾球遊技機において、
前記入賞部に、進退部を進退運動させる駆動装置と、前記進退部の進退運動を前記蓋体の開閉運動に変換する運動変換機構と、を設け、かつ、
前記駆動装置が停止して前記蓋体が閉止位置にある状態で、前記運動変換機構の一部を係止することにより前記蓋体の開放方向への動作を規制する規制手段を備えてなる、
ことを特徴とする弾球遊技機。
【請求項２】
前記規制手段は、前記進退部の後退動作で前記蓋体が開放方向に動作する場合には前記運動変換機構の前記一部を解放してなる、
請求項１記載の弾球遊技機。
【請求項３】
前記運動変換機構は、前記進退部と前記蓋体とを連動・連結するリンク部材を有し、かつ、
前記規制手段は、前記進退部と一体的に移動すると共に、前記リンク部材に形成された突起部を前記蓋体の閉止状態にて係止する係止部である、
請求項１又は２記載の弾球遊技機。
【請求項４】
前記運動変換機構の前記一部の位置変化を検知することに基づき、前記規制手段による規制に拘わらず前記蓋体が不正に開放されたと判定する判定手段を備えてなる、
請求項１ないし３のいずれか１項記載の弾球遊技機。
【請求項５】
前記判定手段は、前記蓋体の開放時に検知信号を出力する開放検知センサを有し、前記駆動装置への駆動信号が出力されないにも拘わらず前記開放検知センサが検知信号を出力した場合に、前記蓋体が不正に開放されたと判定してなる、
請求項４記載の弾球遊技機。
【発明の詳細な説明】
【技術分野】
【０００１】
本発明は、パチンコ機等の弾球遊技機に係り、詳しくは、所定の契機で遊技球を入賞させるように蓋体を開閉動作させる入賞部を遊技領域に備えた弾球遊技機に関する。
【背景技術】
【０００２】
一般に、弾球遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている（特許文献１参照）。
【０００３】
このようなパチンコ機では、一般入賞口に入球した際にはそれに対応した個数の遊技球が払い出され、また始動チャッカーに入球した際にはこれに基づいて当たり外れや演出パターンの抽選が行われると共に所定数の遊技球が払い出される。この抽選結果に基づき選定された演出パターンに応じて、例えば遊技盤の中央部分に設けられた液晶表示画面や各種の照明装置を介した視覚的表現、スピーカを介した聴覚的表現などを用い、様々な演出が行われる。なお、当たり（以下、「大当たり」ともいう）の発生時には、アタッカーと呼ばれる大入賞口が開放し、入球に対応して多量の遊技球が払い出される遊技者に有利な遊技状態となる。
【０００４】
上述したようなアタッカーを備えるパチンコ機では、遊技装置の上皿の軸の上部の穴から故意にピアノ線や細い針金等を挿入することでアタッカーを開放して不正に入賞させるような不正行為を被ることがあった。そこで、このような不正行為を抑え得るように構成したパチンコ機が提案されている（特許文献２参照）。
【０００５】
このパチンコ機は、遊技装置のガラス枠と上皿を噛み合わせる上皿側のレールである噛み合わせレールに取り付ける遊技装置用部品を有しており、該遊技装置用部品は、断面が略々コ字形状を呈し且つ噛み合わせレールに密着するレール密着部と、該密着部の断面のコ字形状の端部に対して略々直角に曲折するように延びる支持部と、を有している。このような遊技装置用部品を備えたことにより、上述のようにピアノ線等の挿入でアタッカーが不正に開放されようとしても、このような不正行為を抑えることが可能になる。
【０００６】
【特許文献１】特開２００３−２３６２１０号公報
【特許文献２】特開２００３−３４００７５号公報
【発明の開示】
【発明が解決しようとする課題】
【０００７】
しかし、上記特許文献１に記載のパチンコ機では、遊技装置用部品を遊技機本体に取り付けることで不正行為を抑止し得るようにしているが、このような構成の場合、ピアノ線等が遊技装置用部品をすり抜けて遊技領域に挿入されるようなことがあると、その場合には不正行為を阻止することは極めて困難な状況となる。
【０００８】
そこで本発明は、たとえピアノ線等が遊技領域に挿入されてしまった場合であっても、ピアノ線等で蓋体が開放されるような事態を有効に阻止し得ると共に、そのような構造を簡略で廉価に実現できるように構成し、もって上述した課題を解決した弾球遊技機を提供することを目的とするものである。
【課題を解決するための手段】
【０００９】
請求項１に係る本発明は（例えば図１ないし図７参照）、所定の契機で蓋体（５ａ）を開閉させる入賞部（５）を備えた遊技領域（３ａ）に遊技球（Ｂａ）を打ち出して遊技してなる弾球遊技機（１）において、
前記入賞部（５）に、進退部（７０ａ）を進退運動させる駆動装置（７０）と、前記進退部（７０ａ）の進退運動を前記蓋体（５ａ）の開閉運動に変換する運動変換機構（５５，５６、又は７１，７７，７２）と、を設け、かつ、
前記駆動装置（７０）が停止して前記蓋体（５ａ）が閉止位置にある状態で、前記運動変換機構の一部（例えば５６の５７、又は７２の７２ａ）を係止することにより前記蓋体（５ａ）の開放方向への動作を規制する規制手段（５５ｄ又は７１ｂ）を備えてなる、
ことを特徴とする弾球遊技機（１）にある。
【００１０】
請求項２に係る本発明は（例えば図３，図４及び図７参照）、前記規制手段は、前記進退部（７０ａ）の後退動作で前記蓋体（５ａ）が開放方向に動作する場合には前記運動変換機構（５５，５６、又は７１，７７，７２）の前記一部（例えば５６の５７、又は７２の７２ａ）を解放してなる、
請求項１記載の弾球遊技機（１）にある。
【００１１】
請求項３に係る本発明は（例えば図３，図４及び図７参照）、前記運動変換機構は、前記進退部（７０ａ）と前記蓋体（５ａ）とを連動・連結するリンク部材（例えば５６、又は７７，７２）を有し、かつ、
前記規制手段は、前記進退部（７０ａ）と一体的に移動すると共に、前記リンク部材（５６又は７２）に形成された突起部（５７又は７２ａ）を前記蓋体（５ａ）の閉止状態にて係止する係止部（５５ｄ又は７１ｂ）である、
請求項１又は２記載の弾球遊技機（１）にある。
【００１２】
請求項４に係る本発明は（例えば図３〜図５、及び図７参照）、前記運動変換機構（５５，５６、又は７１，７７，７２）の前記一部（例えば５５の５５ｃ，５６の５７、又は７２の７２ａ，７１の７１ｂ）の位置変化を検知することに基づき、前記規制手段（５５ｄ又は７１ｂ）による規制に拘わらず前記蓋体（５ａ）が不正に開放されたと判定する判定手段（５８，９３）を備えてなる、
請求項１ないし３のいずれか１項記載の弾球遊技機（１）にある。
【００１３】
請求項５に係る本発明は（例えば図３〜図５、及び図７参照）、前記判定手段は、前記蓋体（５ａ）の開放時に検知信号を出力する開放検知センサ（例えば５８）を有し、前記駆動装置（７０）への駆動信号が出力されないにも拘わらず前記開放検知センサ（５８）が検知信号を出力した場合に、前記蓋体（５ａ）が不正に開放されたと判定してなる、
請求項４記載の弾球遊技機（１）にある。
【００１４】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１５】
請求項１に係る本発明によると、たとえ不正行為者が入賞部の蓋体をピアノ線等で開放方向に牽引したとしても、規制手段が運動変換機構の一部を係止することにより蓋体の開放方向への動作を規制するので、蓋体が不正に開放される不都合を有効に阻止することができると共に、運動変換機構の一部を係止するだけの簡単で廉価な構成により不正対策を効果的に講じることができる。
【００１６】
請求項２に係る本発明によると、駆動装置の駆動で蓋体を開放動作させる通常作動にあっては運動変換機構の一部を解放することにより、蓋体の正常な開放動作を提供することができる。
【００１７】
請求項３に係る本発明によると、蓋体の閉止状態にて突起部を係止するだけの係止部をリンク部材に設けるだけの簡単な構成により、蓋体を無理に開放するような不正行為を有効に阻止し得る構造を実現することができる。
【００１８】
請求項４に係る本発明によると、規制手段による規制に拘わらず蓋体がたとえ不正に開放されたとしても、判定手段が、運動変換機構の一部の位置変化を検知することに基づいて不正な開放を判定するので、例えばその判定結果を遊技場の管理室に報知するなどにより、不正行為を早期に止めさせるように処置することができる。
【００１９】
請求項５に係る本発明によると、判定手段が、蓋体の開放時に検知信号を出力する開放検知センサを有し、駆動装置への駆動信号が出力されないにも拘わらず開放検知センサが検知信号を出力した場合に、蓋体が不正に開放されたと判定するので、駆動信号及び検知信号の出力の有無をチェックするだけの極めて簡単な回路構成によって、不正行為の判定を的確に実施することができる。
【発明を実施するための最良の形態】
【００２０】
以下、本発明に係る弾球遊技機の実施形態として、遊技場等に設置されるパチンコ機を図面に沿って説明する。図１は本発明の実施形態におけるパチンコ機の外部構造を示す正面図である。
【００２１】
＜第１の実施の形態＞
パチンコ機１は、図１に示すように、発射ハンドル２の操作による発射装置（図示せず）の作動で遊技球（所謂パチンコ玉）を遊技盤３の遊技領域３ａに向かって打ち出しつつ遊技を行うもので、所謂確率変動等の大当たりが発生した状態でアタッカー５に入球した遊技球に対応する数の遊技球を払い出すように構成されている。上記確率変動当たり（「確変当たり」とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２２】
本パチンコ機１は、開口を有する枠体状の筐体６と、遊技盤３を支持した形で筐体６に開閉可能に支持された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における上部左右、及び下部の皿ユニット１６の左右には、スピーカ（図示せず）を有する放音装置１２が夫々に配設されている。そして、前扉７の上部における両放音装置１２，１２の間には、演出用照明装置８が配設されている。なお、筐体６及び前扉７等により遊技機本体が構成されている。
【００２３】
また、ガラス枠１０における中央部右方には、前扉７を筐体６側に施錠又は解放し、或いは、ガラス枠１０を前扉７側に施錠又は解放するための施錠装置１３が配設されている。なお、図１中の符号１４は、不図示の発射装置によって打ち出された遊技球を遊技盤３側に案内するガイドレールを示している。本パチンコ機１には、遊技中に遊技領域３ａにて入賞することなく落下してアウト口（図示せず）に進入した遊技球をパチンコ機背面側に導くアウト球通路（図示せず）が設けられている。
【００２４】
そして、前扉７における下部中央には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及び返却ボタン１９ｂが設けられている。皿ユニット１６の中央部左方には、該皿ユニット１６上の遊技球を球発射装置（図示せず）付近から皿ユニット下部の球排出口（図示せず）を通して下方に排出するための第１球抜きボタン２０ａが配設されており、皿ユニット１６の中央部下方には、皿ユニット１６上の遊技球を球供給口１７付近から上記球排出口を通して下方に排出するための第２球抜きボタン２０ｂが配設されている。
【００２５】
また、前扉７における皿ユニット１６の右側下方には、上記球発射装置を操作して遊技球を遊技盤３に向けて打ち出すための発射ハンドル２が設けられている。更に、皿ユニット１６の下部左方には、台座部１５と灰皿２１とが配設されており、台座部１５には、中央部に遊技参加ボタン２２が配設され、かつ該参加ボタン２２の左右に選択ボタン１８ａ，１８ｂが夫々配設されている。
【００２６】
遊技領域３ａの中央部分には、ステージＳを有するセンター飾り２３が配設されている。センター飾り２３の下部左右には、大当たり抽選に寄与しない一般の入賞が行われる入賞口２５，２６が配設されており、センター飾り２３の下方には、始動チャッカー２７と、アタッカー５とが順次配設されている。
【００２７】
始動チャッカー２７は、大当たり抽選実行の契機となり得る入賞が行われるものであり、開放位置と閉止位置とに開閉動作するように始動チャッカー開閉ソレノイド６９（図５参照）によって作動させられる。始動チャッカー２７の直上方には、所謂命釘としての一対の障害釘３０が打ち込まれている。
【００２８】
アタッカー（入賞部）５は、大当たり発生時に開放され、遊技盤３の遊技領域３ａに打ち出されて転動落下する遊技球を入賞させるものであり、大当たり発生中、例えば、１回の開放で９個の入球を完了した時点で閉じ、当該開閉動作を１５回（つまり、１５ラウンド）繰り返すように構成される。なお、これらの入球数並びに開閉動作の回数は、９個や１５回に限定されることはなく、必要に応じて適宜設定され得るものである。
【００２９】
遊技領域３ａには、センター飾り２３の四方に風車３１が夫々配設されており、ステージＳの下方における始動チャッカー２７の左側には、スルーゲート３２が配設されている。このスルーゲート３２は、始動チャッカー２７を開閉動作させるための普通図柄抽選の契機となる遊技球通過が行われる役物である。
【００３０】
遊技領域３ａにおけるスルーゲート３２、入賞口２５，２６及び始動チャッカー２７等の周囲には、センター飾り２３のステージＳから零れた遊技球や、発射されてからステージＳに関与せずに落下してくる遊技球を適宜散らし、或いは入球に導くようにするための障害釘３３を含む多数の障害釘が打ち込まれている。
【００３１】
上記センター飾り２３は、その中央部に、遊技盤３側に固定された画像表示装置３５を露出する開口３６を有し、左上部にワープ導入口３７を有し、開口３６の下側に上記ステージＳを有し、該ステージＳの下側に、ステージＳ上で転動して該ステージＳの所定位置の落下孔（図示せず）に落下した遊技球を始動チャッカー２７に向け放出する放出口４９を有している。ワープ導入口３７に対向するように、一対の障害釘３９が打ち込まれている。ワープ導入口３７の周囲や上方側にも、遊技球を適宜散らし、或いは入球に導くようにするための多数の障害釘（図示せず）が打ち込まれている。このような本パチンコ機１では、遊技領域３ａに打ち出された遊技球Ｂａを始動チャッカー２７等に、ステージＳを介して入球させ又はステージＳを介さず直接入球させ得るように遊技が進められる。
【００３２】
なお、上記「ワープ導入」という語句は、遊技領域３ａに打ち出された遊技球を、当該遊技領域３ａの比較的下側に位置する不図示の道釘等を経ることなく、始動チャッカー２７の上に導くことを意味する概念である。また、上記「道釘」とは、遊技領域３ａにおいて始動チャッカー２７左右に打ち込まれた複数本の障害釘（図示せず）の列を意味するもので、上方から転動落下してきた遊技球を始動チャッカー２７方向に導く役割を担っている。
【００３３】
ついで、本パチンコ機１の背面構造について図２を参照して説明する。同図は、本パチンコ機１の背面構造を示す背面図である。
【００３４】
すなわち、図２に示すように、パチンコ機１の前扉背面における上部左方には、賞球タンク４３が取り付けられており、この賞球タンク４３の下方に、副制御基板３８、主制御基板４０、及び払出し制御基板５１がこの順に配設されている。また、前扉背面における上部右方には、外部端子板５２が取り付けられており、この外部端子板５２の下方に、整列待機通路４５、賞球装置４６、賞球排出通路４７、電源ユニット４１、及び発射装置（図示せず）用の発射制御基板５３がこの順に配設されている。パチンコ機１の前扉背面における左側部には、施錠装置１３が配設されている。
【００３５】
次に、本実施形態におけるパチンコ機１の制御系を図５に沿って説明する。なお、同図は本パチンコ機１の制御系を示すブロック図である。
【００３６】
すなわち、本制御系は、遊技制御装置８０と、該遊技制御装置８０に電気的に接続された、始動チャッカー開閉ソレノイド６９、アタッカー開閉ソレノイド（駆動装置）７０、放音装置１２、演出用照明装置１１、画像表示装置３５、フォトインタラプタ５８、及び報知装置６２を備えている。該フォトインタラプタ５８は、アタッカー５の蓋体５ａの開放時に検知信号を出力する開放検知センサを構成している。報知装置６２は、遊技場の管理室等に配置されるもので、フォトインタラプタ５８と後述の報知制御手段９３とからなる判定手段によって判定された結果を、音や光等で報知する。
【００３７】
遊技制御装置８０は、図２に示した主制御基板４０や副制御基板３８等から構成されている。主制御基板４０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。また、副制御基板３８は、主に画像表示、効果音等の演出、効果光等の表示制御を行うように構成されている。
【００３８】
遊技制御装置８０は、入賞判定手段８１、入賞信号出力手段８２、抽選手段８３、普通図柄抽選手段８５、遊技制御手段８６、保留手段８７、作動制御手段８８、演出制御手段９０、表示制御手段９１、及び報知制御手段９３を備えている。
【００３９】
入賞判定手段８１は、発射ハンドル２の操作で作動する発射装置（図示せず）によって遊技領域３ａに打ち出された遊技球が始動チャッカー２７、入賞口２５，２６、アタッカー５等の何れかに入賞したとき、当該入賞があった旨を判定する。
【００４０】
入賞信号出力手段８２は、入賞判定手段８１によって入賞が判定されたとき、対応する始動チャッカー２７、入賞口２５，２６、アタッカー５等に入賞した旨の入賞信号を出力する。
【００４１】
抽選手段８３は、入賞信号出力手段８２からの始動チャッカー２７に対応する入賞信号の入力時、最大保留球数（例えば４個）未満での入賞を契機として、乱数値を取得して大当たり抽選を実行する。そして抽選手段８３は、大当たり抽選で確率変動当たりに当選した場合には、不図示の演出用メモリに格納された演出乱数値に基づく抽選で、変動の結果、「３３３」や「７７７」等の図柄が画像表示装置３５の画面上の大当たり有効ライン上で最終的に揃う旨の変動パターンを決定し、その旨の変動パターン信号を出力する。なお、上記「大当たり有効ライン」は、大当たりを得るため図柄が一列に並ぶべき位置（ライン）を意味する。
【００４２】
また抽選手段８３は、大当たり抽選で通常大当たりに当選した場合には、演出乱数値に基づく抽選で、変動の結果、「２２２」や「４４４」等の図柄が大当たり有効ライン上で最終的に揃う旨の変動パターンを決定し、その旨の変動パターン信号を出力する。更に抽選手段８３は、大当たり抽選で外れた場合には、演出乱数値に基づく抽選で、変動の結果、外れに対応する「２５８」や「１８６」等の図柄が大当たり有効ライン上で最終的に揃う旨の変動パターンを決定し、その旨の変動パターン信号を出力する。
【００４３】
普通図柄抽選手段８５は、始動チャッカー２７を開閉動作させるか否かの普通図柄抽選を、この普通図柄抽選の保留球数（例えば４個）の範囲内で、スルーゲート３２への入球を契機として実行する。
【００４４】
遊技制御手段８６は、放音装置１２、演出用照明装置８，１１に放音、発光駆動等の演出をさせる契機となる指令を演出制御手段９０に送る。更に、遊技制御手段８６は、予め設定された演出データや、抽選手段８３での抽選結果に応じて、画像表示装置３５の画面に表示すべき大当たり抽選に関連する演出内容に関する信号を表示制御手段９１に送る。
【００４５】
保留手段８７は、抽選手段８３から出力された変動パターン信号を入力し、変動パターンを、始動チャッカー２７への入賞の都度に行われた抽選の結果となる保留球として順次記憶する。当該記憶状況は、不図示の大当たり抽選保留表示装置に、最大４個の保留球となるように点灯表示される。保留手段８７は、保留球数が４個になっているか否かを常時判定し、保留球数が４個表示されている間は、始動チャッカー２７への入賞に拘わらず大当たり抽選は行わない。なお、保留球として点灯表示される保留球数は上記「最大４個」に限らず、例えば３個以下、又は５個以上として適宜設定することも可能である。
【００４６】
そして保留手段８７は、保留（記憶）している変動パターンに係る信号を順次出力し、その変動パターン信号に基づく演出表示が終了するまでは次の変動パターン信号を出力しないようにするための図柄変動禁止フラグを立てる（オンする）と共に、当該オンした図柄変動禁止フラグを解除する時間を計測するための図柄変動タイマ（図示せず）をセットし、変動パターン信号の出力に応じて保留球数を１デクリメントする。また保留手段８７は、保留球の消費に応じて保留球数が４個未満となった場合、抽選手段８３で行われる始動チャッカー２７への入賞に応答した大当たり抽選の結果を保留球として記憶し、保留球数を１インクリメントする。
【００４７】
作動制御手段８８は、所定のタイミングで始動チャッカー開閉ソレノイド６９に駆動信号を送って該ソレノイド６９を作動させ、始動チャッカー２７を開閉動作させる。また、作動制御手段８８は、所定のタイミングでアタッカー開閉ソレノイド７０に駆動信号を送り、アタッカー５を１５ラウンドだけ開閉動作させるように制御する。
【００４８】
演出制御手段９０は、遊技制御手段８６の指令に応答して、放音装置１２を放音駆動し、演出用照明装置８，１１を発光駆動して遊技者の聴覚や視覚に訴える演出を行う。
【００４９】
表示制御手段９１は、遊技制御手段８６からの信号に従って、画像表示装置３５を駆動し、大当たり抽選結果を中心とした内容等の演出を、遊技者の視覚に訴えるように演出表示する。その際、表示制御手段９１は、抽選手段８３による各抽選結果を、遊技制御手段８６からの信号に従って演出表示する。
【００５０】
報知制御手段９３は、作動制御手段８８からアタッカー開閉ソレノイド７０への駆動信号が出力されていないにも拘わらずフォトインタラプタ５８が検知信号を出力した場合に蓋体５ａの開放を不正とみなし、その旨を伝える信号を報知装置６２に出力する。該報知制御手段９３は、フォトインタラプタ５８とで、突起部５７の位置変化を検知することに基づき、係合凹部５５ｄによる規制に拘わらず蓋体５ａが不正に開放されたと判定する判定手段を構成している。即ち、該判定手段は、蓋体５ａの開放時に検知信号を出力するフォトインタラプタ５８を有し、アタッカー開閉ソレノイド７０への駆動信号が出力されないにも拘わらずフォトインタラプタ５８が検知信号を出力した場合に、蓋体５ａが不正に開放されたと判定する。なお、本実施の形態において、本発明に係る上記判定手段は、運動変換機構の一部であるＬ字状リンク５６の突起部５７の位置変化をフォトインタラプタ５８によって検知するように構成されるが、これに限らず、運動変換機構の一部である連結部材５５の下顎部５５ｃの位置変化をフォトインタラプタ５８によって検知するように構成しても良い。
【００５１】
ついで、本実施の形態におけるアタッカー５及びその周辺の構造を、図３及び図４を参照して説明する。図３及び図４は、それぞれアタッカー５及びその周辺部を縦断面した断面図であり、図３（ａ）は蓋体５ａの閉止状態を示し、図３（ｂ），（ｃ）はアタッカー開閉ソレノイド７０の駆動し始めの状態を順次示し、図４（ａ）は蓋体５ａが開放してフォトインタラプタ５８で検知される直前の状態を示し、図４（ｂ）は蓋体５ａが完全に開放してフォトインタラプタ５８で検知された状態を示している。
【００５２】
すなわち、上記アタッカー５は、所定の契機で蓋体５ａを開閉させる本発明の入賞部を構成するもので、遊技盤３の背面側に配置されたアタッカー開閉ソレノイド７０と、該ソレノイド７０のプランジャ７０ａの進退運動を蓋体５ａの開閉運動に変換する運動変換機構とを有している。該運動変換機構は、後述の連結部材５５及びＬ字状リンク５６によって構成される。なお、上述した蓋体５ａ及びアタッカー開閉ソレノイド７０、並びに、後述するＬ字状リンク５６及びフォトインタラプタ５８等は、アタッカーユニット（図示せず）にそれぞれ装着された形で遊技盤３に取り付けられており、蓋体５ａ及びＬ字状リンク５６は、遊技盤３における始動チャッカー２７下方に形成された開口部（図示せず）内にて自在に回動するように構成される。
【００５３】
つまり、透明ガラス９後方に位置する遊技盤３には、上記開口部の内側にて開閉動作し得るように上記アタッカーユニットを介して蓋体５ａが配置されており、該蓋体５ａは、遊技領域３ａの正面から見た形状が遊技盤３の左右方向（図３の紙面手前−奥方向）にやや長い矩形状を呈し、上記開口部内で自在に回動し得るようにアタッカーユニットに軸部材６５で両端部を支持された形で遊技盤３側に支持される。蓋体５ａは、軸部材６５により下部側を回動自在に支持されると共に、該軸部材６５のやや後方（図３(a)の左方）の下部側にピン６６が固定されている。該ピン６６は、図３における紙面手前側のみに設けられている。
【００５４】
上記アタッカー開閉ソレノイド（駆動装置）７０は、ソレノイド本体に対して進退自在なプランジャ（進退部）７０ａを有し、該プランジャ７０ａの先端部には連結部材５５が取り付けられており、該連結部材５５の先端部には、係合切欠き５５ｂを有する連結部５５ａが設けられている。アタッカーユニットにおける連結部材５５の下方にはフォトインタラプタ５８が装着され、かつ連結部５５ａの下方には回動軸５４を介してＬ字状リンク５６が回動自在に支持されている。該Ｌ字状リンク５６は、一端部５６ａがピン６３を介して係合切欠き５５ｂに係合しており、他端部５６ｂがその二股部５６ｃの係合切欠き５６ｄを、蓋体５ａ下端部のピン６６に係合させている。アタッカー開閉ソレノイド７０は、同図の手前側に位置して係合切欠き５６ｄをピン６６に係合させているＬ字状リンク５６のピン６３に係合切欠き５５ｂを係合させ得るように、図３における紙面手前側に寄せて配置されている。
【００５５】
Ｌ字状リンク５６は、回動軸５４で回動自在に支持された折曲部の後方（図３(a)の左方）に延びるように形成された突起部５７を有している。連結部材５５の下部における突起部５７と対向し得る位置には、略矩形状の突起部５７の後端部を係合する係止凹部５５ｄが形成されている。該係止凹部５５ｄは、下顎部５５ｃと上顎部５５ｅの間に略矩形状の突起部５７の後端部を隙間無く係合し得るように形成されている。このため、図３（ａ）に示す突起部５７との係合状態にて蓋体５ａがピアノ線等で無理に時計回り方向に回動されようとして、Ｌ字状リンク５６がピン６６を介して反時計回り方向に回動されようとしても、突起部５７が係止凹部５５ｄに隙間無く係合されて抜けないことで、蓋体５ａの不正な開放動作は阻止される。なお、上記係合凹部５５ｄは、アタッカー開閉ソレノイド７０が停止して蓋体５ａが閉止位置にある状態で、上記運動変換機構の一部であるＬ字状リンク５６の突起部５７を係止することで蓋体５ａの開放方向への動作を規制する規制手段を構成している。
【００５６】
フォトインタラプタ５８は、突起部５７をその左右方向（図３(a)の紙面手前−奥方向）から挟むことができるように配置された送・受信部５９を有しており、該送・受信部５９には、互いに対向して赤外光を送・受信する投光・受光素子６０が設けられている。蓋体５ａが、上述のように無理に開放されようとして時計回り方向に力を受け、この力をガタガタと何回も繰り返し受けた場合に、たとえ突起部５７が係止凹部５５ｄから外れたとしても、その際はアタッカー開閉ソレノイド７０に作動制御手段８８からの駆動信号が出力されない状態である。従って、その状態で突起部５７が投光・受光素子６０の間を遮光してフォトインタラプタ５８をオン作動させたとしても、報知制御手段９３は、アタッカー開閉ソレノイド７０に駆動信号が出力されない状態でフォトインタラプタ５８が検知信号を出力したとして、蓋体５ａが不正に開放された旨の信号を報知装置６２に出力する。
【００５７】
次に、本パチンコ機１による作用について、図６のフローチャートを併せて参照しつつ説明する。すなわち、本パチンコ機１に対面して着座した遊技者が発射ハンドル２を握り、適宜の角度に回動操作すると（ステップＳ１）、発射装置の作動で遊技球が所定の時間間隔で遊技領域３ａに向けて連続的に発射される。すると、遊技領域３ａに打ち出されて転動落下する多数の遊技球は、始動チャッカー２７や入賞口２５，２６に適時入賞し、或いは、これらに関与せずに転動落下して、遊技領域３ａ最下部のアウト口（図示せず）から遊技盤３背面側に排出される。
【００５８】
遊技領域３ａに打ち出された遊技球の一部がワープ導入口３７に入球すると、その遊技球はステージＳ上に放出された後、該ステージＳの傾斜に沿って転動し、或るものはそのまま遊技領域３ａに落下し、或るものは放出口４９から始動チャッカー２７に向けて放出され、高い入賞確率（略１００％）で該チャッカー２７に入賞する。
【００５９】
ところで、始動チャッカー２７や入賞口２５，２６の何れかに遊技球が入賞した場合には、入賞判定手段８１が当該入賞を判定し、且つ入賞信号出力手段８２が入賞信号を出力する（ステップＳ２）。この際、保留手段８７は、保留している変動パターンに係る信号を、遊技制御手段８６を介して表示制御手段９１に順次送信し、変動パターン信号の送信に応じて保留球数を１デクリメントする。また保留手段８７は、当該保留球の消費に応じて、抽選手段８３で行われる始動チャッカー２７への入賞に応じた大当たり抽選の結果を保留球として記憶し、保留球数を１インクリメントする。
【００６０】
ステップＳ３において、大当たり抽選で当選した場合、抽選手段８３が当たりフラグをオンすると、演出用メモリに格納された演出乱数値に基づく抽選で、大当たりの種別、つまり確変当たりか通常当たり対応する変動パターンが決定される。
【００６１】
これにより、ステップＳ４において、画像表示装置３５に表示されるべき当たり図柄がセットされ、抽選手段８３は、その旨の変動パターン信号を出力すると共に、当該変動パターン信号に基づく演出表示が終了するまでは次の変動パターン信号を送信しないようにするために図柄変動禁止フラグをオンし、当該オンした図柄変動禁止フラグを解除する時間を計測するための図柄変動タイマをセットし、変動パターン信号の送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、画像表示装置３５に表示される外れ図柄がセットされ、抽選手段８３は、その旨の変動パターン信号を出力すると共に、図柄変動禁止フラグをオンし、図柄変動タイマをセットし、変動パターン信号の送信に応じて保留球数を１デクリメントする。
【００６２】
以上のようにして、遊技制御手段８６が、画像表示装置３５に表示すべき演出内容に関する信号を、表示制御手段９１に送信することに基づき、表示制御手段９１は、画像表示装置３５を適時駆動し、大当たり抽選結果に関する内容等を、遊技者の視覚に訴えるように演出表示することとなる（ステップＳ５）。
【００６３】
そして、上記演出表示を視認しながら弾球遊技する中で、画像表示装置３５の画面上に表れた抽選結果が大当たり決定である場合、作動制御手段８８は、所定のタイミングでアタッカー開閉ソレノイド７０に駆動信号を送り、当該ソレノイド７０を作動させてアタッカー５を開放し、所定数入賞が終了する（又は所定時間が経過する）毎に閉塞する動作を所定ラウンドだけ繰り返させる。これにより、アタッカー５に入賞した遊技球に対応する多量の遊技球が、球供給口１７から皿ユニット１６に払い出されることとなる（ステップＳ６）。
【００６４】
ここで、上記アタッカー５の開放時の作動を、図３及び図４を参照して説明する。すなわち、アタッカー５は、図３（ａ）に示すように作動前の状態にあっては、アタッカー開閉ソレノイド７０に駆動信号が入力されないため、該ソレノイド７０に内蔵される圧縮スプリング（図示せず）の付勢力に準じてプランジャ７０ａが遊技盤３側に突出し、連結部５５ａが係合切欠き５５ｂによりピン６３を押して、回動軸５４を中心としてＬ字状リンク５６を時計回り方向に回動させている。これにより、Ｌ字状リンク５６が係合切欠き５６ｄによりピン６６を押し下げるため、蓋体５ａが軸部材６５を中心として反時計回り方向に回動した閉止位置で停止している。このとき、連結部５５ａの先端部は、遊技盤３の裏面３ｂから表面側に距離ｄ１だけ突出した状態にある。この状態において、Ｌ字状リンク５６は、突起部５７を係止凹部５５ｄに係合させて回動動作を規制された状態になって、該突起部５７が投光・受光素子６０から離反しているため、フォトインタラプタ５８は、突起部５７に対する検知信号を出力していない。
【００６５】
そして、作動制御手段８８から駆動信号が出力されると、プランジャ７０ａが圧縮スプリングに抗して図３（ｂ）の矢印Ａ方向に後退するように作動するため、Ｌ字状リンク５６が係合切欠き５５ｂによってピン６３を牽引されることで、回動軸５４を中心として反時計回り方向に回動し始める。このとき、連結部５５ａの先端部は、遊技盤３の裏面３ｂ側に上記距離ｄ１だけ後退する。図３（ｃ）では、プランジャ７０ａが更に矢印Ａ方向に後退し、連結部５５ａの先端部が、裏面３ｂから更に距離ｄ２だけ離れた状態となる。
【００６６】
引き続き、プランジャ７０ａが図４（ａ）の矢印Ａ方向に後退すると、Ｌ字状リンク５６が更に反時計回り方向に回動し、二股部５６ｃの係合切欠き５６ｄの内側面をピン６６に当接させて、蓋体５ａを軸部材６５を中心として時計回り方向に回動させ、開放させ始める。この際、Ｌ字状リンク５６とともに回動する突起部５７が、投光・受光素子６０の間に進入し始める。そして、プランジャ７０ａが同方向に更に後退すると、Ｌ字状リンク５６が反時計回り方向に更に回動するため、蓋体５ａが軸部材６５を中心として時計回り方向に更に回動して開放状態となる。この際、Ｌ字状リンク５６とともに回動する突起部５７が、投光・受光素子６０の間を完全に遮光するため、フォトインタラプタ５８から検知信号が出力される。
【００６７】
アタッカー５は、遊技球を受け入れるために上述のように開放され、その場合、フォトインタラプタ５８が検知信号を出力するが、この時点でアタッカー開閉ソレノイド７０には作動制御手段８８から駆動信号が出力されているため、報知制御手段９３は、報知装置６２に信号を出力することはない。
【００６８】
ところが、不正行為者（所謂ゴト師）がアタッカー５を無理に開放して入賞を不正に得ようとして、前扉７等の隙間（実際はそのような隙間が無くなるように種々の処置を施しているが）からピアノ線等を挿入して蓋体５ａの上部等に引っ掛けこれを無理に開放させようとする場合は、以下のようになる。
【００６９】
すなわち、図３（ａ）に示す閉止状態で、蓋体５ａが同図の時計回り方向にピアノ線等で無理に開放されようとすると、該回動力はピン６６からＬ字状リンク５６に伝達されようとするが、このとき該Ｌ字状リンク５６は、突起部５７が係止凹部５５ｄに係合して連結部材５５に対して係止された状態にあって蓋体５ａの開放方向への動作が規制されるので、該蓋体５ａの不正な開放は有効に阻止される。
【００７０】
この場合、例えば、不正行為者がピアノ線を蓋体５ａに引っ掛けた状態で該蓋体５ａを更に何回も繰り返し牽引した結果、突起部５７が係止凹部５５ｄから外れて、規制に拘わらず該蓋体５ａが開放された際には、蓋体５ａの開放動作に連動して突起部５７が投光・受光素子６０間を遮光するため、アタッカー開閉ソレノイド７０への駆動信号が出力されない状態でフォトインタラプタ５８が検知信号を出力することで、報知制御手段９３が報知装置６２に、不正行為が行われた旨の信号を出力する。これにより、該報知装置６２が配置された例えば管理室にいる係員が、不正行為が行われているパチンコ機１まで出向いて不正行為を止めさせたり、警察に通報したりする等の処置を行うことができる。
【００７１】
本実施の形態によると、上記判定手段が、蓋体５ａの開放時に検知信号を出力するフォトインタラプタ５８を有し、アタッカー開閉ソレノイド７０への駆動信号が出力されないにも拘わらずフォトインタラプタ５８が検知信号を出力した場合に蓋体５ａの開放を不正と判定するので、駆動信号及び検知信号の出力の有無をチェックするだけの極めて簡単な回路構成によって、不正行為の的確な判定を実施することができる。また、本実施の形態では、運動変換機構の一部である突起部５７を係合凹部５５ｄで係止するだけの簡単で廉価な構成によって不正対策を効果的に講じることができる。なお、突起部５７を、蓋体５ａの開放方向への動作を規制する規制手段として機能させたり、蓋体５ａが不正に開放されたと判定する判定手段の一部として機能させたりする構成とすることも可能である。
【００７２】
ついで、本発明に係る第２の実施の形態について、図７を参照して説明する。図７は、アタッカー５及びその周辺部を縦断面した断面図であり、図７（ａ）は蓋体５ａの閉止状態を示し、図７（ｂ）は蓋体５ａが開放してフォトインタラプタ５８で検知された際の状態を示している。なお、本第２の実施の形態では、フォトインタラプタ５８は、前述した第１の実施の形態のフォトインタラプタ５８とはその動作態様が逆になるように構成されており、投光・受光素子６０間を遮光した状態でオフとなり、投光・受光素子６０間を開放した状態でオンとなって検知信号を出力する。
【００７３】
すなわち、本第２の実施の形態では、アタッカー開閉ソレノイド７０が遊技盤３と平行になるように縦置きに配置されており、該ソレノイド７０のプランジャ７０ａには連結部材７１が一体的に取り付けられている。該連結部材７１はその両端部に、下方に延びる連結部７１ａと係止凸部７１ｂとをそれぞれ有している。本実施形態における蓋体５ａは、先の第１の実施形態と同様に、下部側の軸部材６５を中心に回動して開閉動作するが、ピン６６に代えて係合凹部５ｂを有しており、該係合凹部５ｂに、回動軸７３を中心として回動自在な直線状リンク７２の一端に取り付けられたピン７５が回動自在に係合している。
【００７４】
直線状リンク７２は、回動軸７３でアタッカーユニットに支持されており、該回動軸７３の後方に延びる他端には、軸部材７４を介して直線状リンク７７の一端が回動自在に連結されている。該直線状リンク７７は、軸部材７６を介してアタッカーユニットに回動自在に支持されており、他端に取り付けられたピン７８が、連結部７１ａの下端の係合切欠き７１ｃに係合している。連結部材７１の係止凸部７１ｂに、図７の紙面手前−奥方向で隣接している直線状リンク７２は、同図に示す側面視での係止凸部７１ｂの背面側に位置するように下方に延びる突起部７２ａを一体に有している。該突起部７２ａは、図７の紙面奥方向にやや長く形成されて、同図（ａ）の状態で直線状リンク７２が反時計回り方向に回動しようとするときに係止凸部７１ｂに確実に係合し得るように構成されている。また、突起部７２ａは、図７（ａ）の閉止状態では投光・受光素子６０間を遮蔽してフォトインタラプタ５８をオフさせ、図７（ｂ）の開放状態では投光・受光素子６０間を開放してフォトインタラプタ５８をオンさせる。
【００７５】
以上の構成を備える本実施の形態にあっても、不正行為者がピアノ線等により蓋体５ａを無理に開放させようとすると、その回動力はピン７５から直線状リンク７２に伝達されようとするが、このとき該直線状リンク７２は、突起部７２ａが係止凸部７１ｂに係合して連結部材７１に対して係止された状態とされ、蓋体５ａの開放方向への動作が規制されるため、該蓋体５ａの不正な開放が有効に阻止される。
【００７６】
この場合、ピアノ線を蓋体５ａに引っ掛けた状態で該蓋体５ａが何回も繰り返し牽引されることで、たとえ突起部７２ａが係止凸部７１ｂから外れて図７（ｂ）に示す開放状態になったとしても、蓋体５ａの開放動作に連動して突起部７２ａが投光・受光素子６０間から離間するため、アタッカー開閉ソレノイド７０への駆動信号が出力されない状態でフォトインタラプタ５８が検知信号を出力することになる。これにより、報知制御手段９３が報知装置６２に、不正行為が行われた旨の信号を出力するため、不正行為が有効に抑止されることになる。
【００７７】
なお、本実施の形態では、係止凸部７１ｂが、アタッカー開閉ソレノイド７０が停止して蓋体５ａが閉止位置にある状態で、運動変換機構の一部である直線状リンク７２の突起部７２ａを係止することで蓋体５ａの開放方向への動作を規制する規制手段を構成している。また、報知制御手段９３とフォトインタラプタ５８とにより、突起部７２ａの位置変化を検知することに基づいて蓋体５ａが不正に開放されたと判定する判定手段が構成され、更に、連結部材７１及び直線状リンク７７，７２により、プランジャ７０ａの進退運動を蓋体５ａの開閉運動に変換する運動変換機構が構成されている。また、本実施の形態において本発明に係る判定手段は、運動変換機構の一部である直線状リンク７２の突起部７２ａの位置変化をフォトインタラプタ５８で検知するように構成されているが、これに限らず、運動変換機構の一部である連結部材７１の係止凸部７１ｂの位置変化をフォトインタラプタ５８で検知するように構成しても良い。
【００７８】
以上の第２の実施の形態においても、運動変換機構の一部を係止するだけの簡単で廉価な構成によって不正対策を講じることができ、蓋体５ａの閉止状態での突起部７２ａを係止するだけの係止凸部７１ｂを直線状リンク７２に設けるだけで、蓋体５ａを無理に開放されるような不正行為を極めて有効に阻止できる構造を廉価に実現できる等、前述した第１の実施の形態と同様の効果を得ることができる。
【００７９】
以上、本発明をその好適な実施の形態に基づいて説明したが、本発明の弾球遊技機は、上記実施形態の構成にのみ限定されるものではなく、上記実施形態の構成から種々の修正及び変更を施した弾球遊技機も、本発明の範囲に含まれる。
【図面の簡単な説明】
【００８０】
【図１】本発明に係るパチンコ機の外部構造を示す正面図である。
【図２】本パチンコ機の背面構造を示す背面図である。
【図３】第１の実施の形態におけるアタッカー及びその周辺部を縦断面した断面図であり、（ａ）は蓋体の閉止状態を示し、（ｂ），（ｃ）はアタッカー開閉ソレノイドの駆動し始めの状態を順次示している。
【図４】第１の実施の形態におけるアタッカー及びその周辺部を縦断面した断面図であり、（ａ）は蓋体が開放してフォトインタラプタで検知される直前の状態を示し、（ｂ）は蓋体が完全に開放してフォトインタラプタで検知された状態を示している。
【図５】本パチンコ機の制御系を示すブロック図である。
【図６】本パチンコ機による作用を説明するためのフローチャートである。
【図７】第２の実施の形態におけるアタッカー及びその周辺部を縦断面した断面図であり、（ａ）は蓋体の閉止状態を示し、（ｂ）は蓋体が開放してフォトインタラプタで検知された際の状態を示している。
【符号の説明】
【００８１】
１    弾球遊技機（パチンコ機）
３ａ    遊技領域
５    入賞部（アタッカー）
５ａ    蓋体
５５    運動変換機構（連結部材）
５５ｄ，７１ｂ    規制手段、係止部（係合凹部、係止凸部）
５６    運動変換機構、リンク部材（連結部材、Ｌ字状リンク）
５７    運動変換機構の一部（突起部）
５８    判定手段、開放検知センサ（フォトインタラプタ）
７０    駆動装置（アタッカー開閉ソレノイド）
７０ａ    進退部（プランジャ）
７１    運動変換機構（連結部材）
７２，７７    運動変換機構、リンク部材（直線状リンク、直線状リンク）
７２ａ    運動変換機構の一部（突起部）
９３    判定手段（報知制御手段）
Ｂａ    遊技球
【図１】
2009291371.tif 000003
【図２】
2009291371.tif 000004
【図３】
2009291371.tif 000005
【図４】
2009291371.tif 000006
【図５】
2009291371.tif 000007
【図６】
2009291371.tif 000008
【図７】
2009291371.tif 000009